(57)【要約】【課題】  従来のコーヒーバッグは袋の容量、サイズ等は同様であるが、カップの口径の大小に適応させ袋部をカップ上に支える支持体をカップ口径より大きく構成することで使用する厚紙の面積量も多くコスト高の原因でもあった。【解決手段】  本発明は、この様な従来の課題を解決するため、支持体の構造を単純にして組み立てを必要とせず又、袋部全体の大きさと同程度で構成する支持体型として使用する厚紙等の面積量を少なくし単純構成にして低コスト化を計り、又その使用性も手軽にする。【選択図】      図１
2005211617.tif 000002
【特許請求の範囲】
【請求項１】
通水濾過性を有する柔軟なシートで袋２を構成し、これは上方が開放した上方口１を有している、さらにこの上方口１の外壁側面周囲に帯状で筒型をした口部支持帯４を一体に取り付けている、袋２の上方口１を平たく閉じた時に生じる左右の折り目３を中心に口部支持帯４から下方にそれぞれ長く伸び出た支持柱５を有しこの支持柱５の左右方向にさらに下方ほど幅広く伸び出た大型の係止アーム部６を構成しており、さらにその先端には下方に伸び出た広い幅の大型サイズのサイド凸部７を左右それぞれ設けている、折り目３は支持柱５の中心を下方に伸びておりその先端にはセンター凸部９を設けている、両サイドにあるサイド凸部７とセンター凸部９の間をそれぞれ係止凹部８としている、これからなる係止部は口部支持帯４の折り目３を中心に下方側に左右対称の位置に配置し設けており口部支持帯４から直接下方に伸び出て構成している大型の係止部である、以上からなるドリップ抽出バッグ。
【請求項２】
口部支持帯４から下方に伸び出て支持柱５と係止アーム部６さらに下端に設けたサイド凸部７と係止凹部８とセンター凸部９からなる係止部に於いて支持柱５の中心に口部支持帯４から下方に伸び出た折り目３を設けていることを特徴とした請求項１記載のドリップ抽出バッグ。
【請求項３】
袋２の上方口１を形成保持する口部支持帯４が帯状をしていることを特徴とした請求項１記載のドリップ抽出バッグ。
【請求項４】
支持柱５から左右に伸び出た係止アーム部６が大型でありさらにその下端に設けたサイド凸部７も広幅で大型であることを特徴とした請求項１記載のドリップ抽出バッグ。
【請求項５】
袋２の上方口１を形成する口部支持帯４から直接下方に伸び出て設けた支持柱５とその中央の折り目３さらに両側に設けた係止アーム部６とその下端の左右に設けたサイド凸部７さらに係止凹部８とセンター凸部９からなる係止部であり胴体部や本体部を設けず口部支持帯４から直接下方に係止部を構成している支持体構成であることを特徴とした請求項１記載のドリップ抽出バッグ。
【請求項６】
口部支持帯４から下方に伸び出て構成した支持柱５と係止アーム部６さらに折り目３と下端に設けたサイド凸部７とセンター凸部９とその間に位置する係止凹部８からなる係止部が大型であり口部支持帯４から下方に長く伸び出て構成していることを特徴とした請求項１記載のドリップ抽出バッグ。
【請求項７】
又、両サイドにもうけたサイド凸部７の先端をさらに水平内側方向に伸ばしＬ字型にしたサイドＬ型凸部１４とした請求項１記載のドリップ抽出バッグ。
【請求項８】
又、サイドＬ型凸部１４の先端をさらに伸ばし両サイドどうしの先端で一体にして中間を帯状係止部１５とした連結型サイド凸部１６とした請求項１記載のドリップ抽出バッグ。
【発明の詳細な説明】
【技術分野】
【０００１】  本発明は、レギュラーコーヒーのドリップ式抽出バッグに関する。
【背景技術】
【０００２】  従来のコーヒーバッグは、通水濾過性のシートにより構成した袋内にコーヒー粉を入れ、この袋を防水加工した厚紙等により支持体を構成してカップの上にセットし定置する。
【特許文献１】  特開２０００−２１１６７０号  公報
【発明の開示】
【発明が解決しようとする課題】
【０００３】  従来のコーヒーバッグは袋の容量、サイズ等は同様であるが、カップの口径の大小に適応させ袋部をカップ上に支える支持体をカップ口径より大きく構成することで使用する厚紙の面積量も多くコスト高の原因でもあった。【０００４】  又、従来の支持体構成は上部側で袋部の口部形を形成する口部支持体と中間部で本体部又は胴体部を構成し下部にカップ上に置きセットするための係止部を形成する構成からなり複雑な構造となり使用の際に組み立てなどセットに手数を要する結果になった。【０００５】  本発明は、この様な従来の課題を解決するため、支持体の構造を単純にして組み立てを必要とせず又、袋部全体の大きさと同程度で構成する支持体型として使用する厚紙等の面積量を少なくし単純構成にして低コスト化を計り、又その使用性も手軽にする。
【課題を解決するための手段】
【０００６】  そして、本発明は上記目的を達成するために通水濾過性を有する柔軟なシートで袋２を構成し、これは上方が開放した上方口１を有している、さらにこの上方口１の外壁側面周囲に帯状で筒型をした口部支持帯４を一体に取り付けている、袋２の上方口１を平たく閉じた時に生じる左右の折り目３を中心に口部支持帯４から下方にそれぞれ長く伸び出た支持柱５を有しこの支持柱５の左右方向にさらに下方ほど幅広く伸び出た大型の係止アーム部６を構成しており、さらにその先端には下方に伸び出た広い幅の大型サイズのサイド凸部７を左右それぞれ設けている、折り目３は支持柱５の中心を下方に伸びておりその先端にはセンター凸部９を設けている、両サイドにあるサイド凸部７とセンター凸部９の間をそれぞれ係止凹部８としている、これからなる係止部は口部支持帯４の折り目３を中心に下方側に左右対称の位置に配置し設けており口部支持帯４から直接下方に伸び出て構成している大型の係止部である。【０００７】  又、両サイドにもうけたサイド凸部７の先端をさらに水平内側方向に伸ばしＬ字型にしたサイドＬ型凸部１４としても良い。【０００８】  又、サイドＬ型凸部１４の先端をさらに伸ばし両サイドどうしの先端で一体にして中間を帯状係止部１５とした連結型サイド凸部１６としても良い。
【発明の効果】
【０００９】  口部支持帯４の左右に有する折り目３からそれぞれ下方に伸び出た支持柱５はカップにセットしているときに中央に位置する折り目３を中心に内側方向に左右側が向いた状態の立体形をしているため平面形に比較し縦方向からの重量に対する折れ曲がり強度が高い。【００１０】  口部支持帯４の左右の折り目３から下方に伸び出てそれぞれ配置した支持柱５とこの支持柱５から左右に広がる係止アーム部６さらにその下方先端に配置したサイド凸部７と係止凹部８とセンター凸部９から構成されるカップ１３にセットするための係止部は口部支持帯４から直接下方に長く伸び出て形成しているためカップ１３の口径の大小に対して、その下方側を外方向に各広げる角度で口径の大小に対応できる。【００１１】  この時、口部支持帯４上において左右の折り目上端１１と１８は上方口１の内側方向に向き口部支持帯４は変形しその反対に側部１２と１７の上端側は各、外方向に広がり左右の折り目上端１１と１８が内方向に変形した分を吸収し変形する、これは口部支持帯４が帯状の長い上方口１を形成支持する口部支持帯４であるため柔軟性が生じて変形可能となるためである。【００１２】  又、支持柱５には湾曲して開いた口部支持帯４が元の形状に復元しようとする作用と支持柱５の中央縦方向に位置する折り目３から収納していた状態に折り戻ろうとする支持柱５自体に生じる復元作用、さらに左右に設けた係止部の下方側を外方向に開きカップ１３にセットしているために生じる内方向に戻ろうとする作用の三つが作用して大きなカップ内方向への復元力が作用し、この大きな復元力を支持する係止アーム部６とその下方先端に設けた両サイドのサイド凸部７は係止アーム部６を大型にして、さらにサイド凸部７は広幅とした大きなサイド凸部７としているためこれらの作用復元力を支え保持する事ができる。【００１３】  上方口１を形成保持する口部支持帯４から下方に支持体としての胴体部や本体部を設けず直接に下方に向けて伸び出て係止部は構成しておりこれは折り目３を有した支持柱５と係止アーム部６をさらにその下端にサイド凸部７とセンター凸部９さらに係止凹部８からなり袋２の大きさより外方向に大きく伸び出て構成のしていない支持体でシンプル構造であり支持体に使用する厚紙等の部材面積を少なくコンパクトであり必要最小限の部材面積量で必要な支持体としての機能、作用を構成する。
【発明を実施するための最良の形態】
【００１４】  以下、本発明の実施の形態を図１〜図５に基づいて説明する。【００１５】  そのため図に示す様に、通水濾過性を有する柔軟なシートで袋２を構成し、これは上方が開放した上方口１を有している、さらにこの上方口１の外壁側面周囲に帯状で筒型をした口部支持帯４を一体に取り付けている、袋２の上方口１を平たく閉じた時に生じる左右の折り目３を中心に口部支持帯４から下方にそれぞれ長く伸び出た支持柱５を有しこの支持柱５の左右方向にさらに下方ほど幅広く伸び出た大型の係止アーム部６を構成しており、さらにその先端には下方に伸び出た広い幅の大型サイズのサイド凸部７を左右それぞれ設けている、折り目３は支持柱５の中心を下方に伸びておりその先端にはセンター凸部９を設けている、両サイドにあるサイド凸部７とセンター凸部９の間をそれぞれ係止凹部８としている、これからなる係止部は口部支持帯４の折り目３を中心に下方側に左右対称の位置に配置し設けており口部支持帯４から直接下方に伸び出て構成している大型の係止部である。【００１６】  支持柱５から左右に大きく広がる係止アーム部６とその両サイド下方先端に各設けた下方に伸び出た広幅のサイド凸部７部は収納時は内側に平たく各それぞれ閉じているがセット時に係止アーム部６を外方向に開き両サイドに設けた各サイド凸部７をカップ１３の口部の外側に位置させセットした時に支持柱５も同時に開くためこの支持柱５の上部で一体の口部支持帯４は側部１２と１７が外方向に湾曲して上方口１を丸型に開きその形状を保持している。【００１７】  その使用法については、袋２内にコーヒー粉を充填しているこのドリップ抽出バッグは上方口１を左右の折り目３で平たく閉じ仮密着しており使用の際は、この上方口１を開き各係止アーム部６を外方向に開きセンター凸部９をカップ１３内に位置させ両側のサイド凸部７をそれぞれカップ１３の縁の外側に位置させカップ１３の縁を捉えてセットする、さらに袋２内にお湯を入れ使用する。【００１８】  又、両サイドにもうけたサイド凸部７の先端をさらに水平内側方向に伸ばしＬ字型にしたサイドＬ型凸部１４とするとサイドＬ型凸部１４の先端がカップ１３の外壁面をとらえる構造方式の場合はその支持力が高まる。【００１９】  又、サイドＬ型凸部１４の先端をさらに伸ばし画サイドどうしの先端で一体にして中間を帯状係止部１５として連結型サイド凸部１６と１０とした場合は、係止アーム部６の下端に設けた両サイドの連結型サイド凸部１６と１０の中間に位置する帯状系止部１５からなる系止部は左右に幅が広いため帯状係止部１５がカップ１３の外壁面を湾曲して包み込むためにカップ１３の外側に位置する連結型サイド凸部１６と１０が外側上方向に折れ曲がりカップ１３の縁から外れることを帯状係止部１５が両サイドの連結型サイド凸部１６と１０を内側方向に引っ張る作用で防ぐためさらに高い支持力になる。
【図面の簡単な説明】
【００２０】
【図１】本発明の使用状態を示す斜視図
【図２】セット部を展開する前の正面図
【図３】セット部を展開した状態の側面図
【図４】係止部の実施例２の展開側面図
【図５】係止部の実施例３の使用状態を示す斜視図
【００２１】  １は上方口
２は袋
３は折り目
４は口部支持帯
５は支持柱
６は係止アーム部
７はサイド凸部
８は係止凹部
９はセンター凸部
１０は連結型サイド凸部
１１は折り目上端
１２は側部
１３はカップ
１４はサイドＬ型凸部
１５は帯状係止部
１６は連結型サイド凸部
１７は側部
１８は折り目上端
【図１】
2005211617.tif 000003
【図２】
2005211617.tif 000004
【図３】
2005211617.tif 000005
【図４】
2005211617.tif 000006
【図５】
2005211617.tif 000007